(57)【要約】      （修正有）【課題】台所の流し台の中に直接置くか、あるいは三角コーナーに入れて使用でき、防臭・防虫効果に優れると共に製造コストを抑えることができる水切り袋を提供する。【解決手段】水切り袋が、上下が開口した筒状の本体部と、上側開口を開閉自在に封止する封止部と、水を通過させることができる材料からなる水排出部とを備え、水排出部を、下側開口を塞ぐように取り付けることで本体部の底面を形成し、底面をマチとして利用することで自立可能とする。【選択図】図１
0003173108.tif 000002
【実用新案登録請求の範囲】
【請求項１】
上下が開口した筒状の本体部と、前記上側開口を開閉自在に封止する封止部と、水を通過させることができる材料からなる水排出部とを備え、当該水排出部を、前記下側開口を塞ぐように取り付けることで前記本体部の底面を形成し、当該底面をマチとして利用することで自立可能であることを特徴とする水切り袋。
【請求項２】
前記水排出部を前記本体部の側面の下側にも設けることを特徴とする請求項１に記載の水切り袋。
【請求項３】
前記封止部がスライドファスナであることを特徴とする請求項１又は２に記載の水切り袋。
【請求項４】
三角コーナーの内部に収容して使用することを特徴とする請求項１〜３のいずれか一項に記載の水切り袋。
【考案の詳細な説明】
【技術分野】
【０００１】
本考案は、台所の流し台などで使用する水切り袋に関する。
【背景技術】
【０００２】
一般家庭や飲食店では台所・厨房の流し台にいわゆる三角コーナーを配置し、三角コーナーに網目状のネットからなる水切り袋を取り付けていることが多い。
調理の際に出た野菜の切りくずや残飯等の生ごみは一旦水切り袋に入れて、生ごみに含まれる水分を水切り袋の網目から排出し、生ごみをある程度乾燥させた後に、生ごみが入った状態の水切り袋を三角コーナーから取り出し、大型のごみ袋に廃棄している。
しかし、水切り袋は上部が開口しており、内部の生ごみが外部に露出しているため、三角コーナー内で生ごみを乾燥させている間、特に夏場などは生ごみから異臭が発生するという問題があった。
また、乾燥中にハエなどの害虫が集まってきたり、水切り袋を廃棄する際に生ごみや生ごみから出た水分が手に付着することがあり、衛生管理の面からも問題があった。
【０００３】
そこで、例えば特許文献１には、開口部にチャックを有する水切り袋が開示されている。この水切り袋によれば、チャックで開口部を簡単に閉鎖でき、生ごみや水分が手に付着しにくいので衛生面で優れると共に、防臭・防虫効果を得られる。
また、特許文献２には、水切り袋の開口部に収納袋を固着した収納袋付き水切り袋が開示されている。この水切り袋は、収納袋を反転させてゴミ袋と生ごみを包み込んだ状態で絞ることで生ごみの水分を切り、その後収納袋の開口部を結んで廃棄するので、廃棄時に手が汚れず、衛生面で優れる。
また、特許文献３には、円筒形のケースを吸盤で流し台に取り付け、ケース内に水切り袋を装着する蓋付き三角コーナーが開示されている。この三角コーナーによれば、蓋によって生ゴミが外部から見えないようにできると共に、蓋をすることで一定の防臭・防虫効果を得られる。
【先行技術文献】
【特許文献】
【０００４】
【特許文献１】特開平９‐２２０４０６号公報
【特許文献２】特開平１０−１７１０４号公報
【特許文献３】特開２０１１−９８８３３号公報
【考案の概要】
【考案が解決しようとする課題】
【０００５】
しかし、上述したような従来の水切り袋及び三角コーナーでは以下のような問題がある。
すなわち、特許文献１の水切り袋では、基材は水切りのための小孔を有するプラスチックフィルムやネット等で形成されているため、臭いが小孔から外部に漏れ出すことが避けられないという問題がある。
また、特許文献２の水切り袋では、上部が開口しているために、三角コーナー内で生ごみを乾燥させている間の防臭の問題が解消されていないという問題がある。
また、特許文献３の三角コーナーでは、防臭・防虫効果を得るためには別途蓋を設ける必要があり構造が煩雑になるという問題や、コストが嵩むという問題がある。
【０００６】
本考案は上記問題に鑑み、台所の流し台の中に直接置くか、あるいは三角コーナーに入れて使用でき、防臭・防虫効果に優れると共に製造コストを抑えることができる水切り袋を提供することを目的とする。
【課題を解決するための手段】
【０００７】
本考案の水切り袋は、上下が開口した筒状の本体部と、前記上側開口を開閉自在に封止する封止部と、水を通過させることができる材料からなる水排出部とを備え、当該水排出部を、前記下側開口を塞ぐように取り付けることで前記本体部の底面を形成し、当該底面をマチとして利用することで自立可能であることを特徴とする。
また、前記水排出部を前記本体部の側面の下側にも設けることを特徴とする。
また、前記封止部がスライドファスナであることを特徴とする。
また、三角コーナーの内部に収容して使用することを特徴とする。
【考案の効果】
【０００８】
本考案の水切り袋によれば、上側開口を封止部で封止できるので防臭・防虫効果に優れる。
また、自立可能なので必ずしも三角コーナーを使用する必要がなく、利便性に優れる。
また、水切り袋が自立可能であり、水切り袋を収納するための三角コーナーやケースを別途用意する必要がないので、使用者にとっては利便性に優れると共に金銭的支出を抑えることができ、水切り袋の製造業者にとっては製造コストを抑えることができる。
また、水排出部を本体部の側面の下側にも設けることで、本体部の側面からも生ごみの水分を外部に排出することができ、乾燥時間を短縮できる。
また、封止部にスライドファスナを用いることにすれば、上側開口の開閉動作を容易にできる。
また、水切り袋を三角コーナーの内部に収容して使用することにすれば、水切り袋を倒れにくくできる。
【図面の簡単な説明】
【０００９】
【図１】水きり袋の上側開口を閉じた状態を示す斜視図
【図２】水きり袋の上側開口を開いた状態を示す斜視図
【図３】水きり袋を三角コーナーに入れた状態を示す斜視図
【図４】水きり袋に延長部を設けた状態を示す斜視図
【図５】水排出部を本体部の側面の下側にも設けた状態を示す正面図
【考案を実施するための形態】
【００１０】
［第一の実施の形態］
本考案の水切り袋１の第一の実施の形態について説明する。
図１及び図２に示すように、本実施の形態の水切り袋１は、本体部２、封止部３及び水排出部４から概略構成される。
本体部２は上下が開口した筒状の部材であり、ナイロン等の合成樹脂で形成されている。詳しい説明は後述するが、本体部２の内部に入れた生ごみの臭いが外部に漏れないように外気を遮断できる材料で構成するのが好ましい。
【００１１】
封止部３は本体部２の上側の開口１ａを開閉自在に封止するために設けられている。
封止部３としては、本体部２の上縁のほぼ半周にわたって取り付けた凸型レール３ａと、当該凸型レール３ａに対向するように本体部２の上縁部の残りのほぼ半周にわたって取り付けた凹型レール３ｂと、スライダ３ｃを備える。
封止部３による上側開口１ａの閉鎖動作について説明すると、本体部２の上側開口１ａが開いた状態で、凸型レール３ａと凹型レール３ｂをスライダ３ｃで外側から挟み込み、両レールの長手方向の一方にスライドすることで、凹型レール３ｂの凹部に凸型レール３ａの凸部が嵌まり込み、図１に示すように上側開口１ａが閉鎖される。
【００１２】
また、上側開口１ａの開放動作について説明すると、本体部２の上側開口１ａが閉じた状態で、スライダ３ｃを他方にスライドすることで、凹型レール３ｂの凹部から凸型レール３ａの凸部を引き離し、図２に示すように上側開口１ａが開放される。
このように、スライダ３ｃ、凸型レール３ａ及び凹型レール３ｂによって開口１ａを開閉する機構は一般的には「スライドファスナ」と呼ばれる。封止部３としてはスライドファスナ以外にも面ファスナーやスナップボタンを利用してもよい。
【００１３】
水排出部４は水を通過させることができる程度の小穴を有する材料からなり、本体部２の底面を構成している。
本実施の形態においては、水排出部４は本体部２の下側開口１ｂを塞ぐように、本体部２の下縁部に取り付けられている。
水排出部４の材料としては、ナイロンやプラスチック等の合成繊維からなるネットが好ましいが、他にも水を通過させることができる程度の隙間を有する合成繊維製の織布及び不織布や、水を通過させることができる程度の小穴を多数設けた合成樹脂製のフィルムでもよい。また、燃焼時に有害物質が排出されない耐水性の紙を水排出部４の材料として用いてもよい。
水排出部４を本体部２の下縁部に取り付けて、本体部２の底面をある程度の面積を有するマチとして利用することで、水切り袋１を自立させることができる。
【００１４】
次に、水切り袋１の使用方法及び機能について説明する。
水切り袋１は、上側の開口１ａを閉じた状態で底面のマチを利用して流し台の内部に自立させておくか、あるいは図３に示すように三角コーナー１０の中に入れておく。
生ごみが出た際には、スライダ３ｃを一方向にスライドさせて上側開口１ａを開き、水切り袋１の中に生ごみを入れた後、スライダ３ｃを他方向にスライドさせて上側開口１ａを閉じておく。
【００１５】
生ごみに含まれる水分は重力により水排出部４を通過して水切り袋１の外部に流れだし、流し台の排水口に至る。
また、生ごみの臭いは上側開口１ａが閉じていることから、この上側開口１ａから外部に漏れることはない。
また、マチとしての機能を有する本体部２の底面（水排出部４）は、生ごみから出た水分により濡れていると共に生ごみの重力を受けて下方に撓むことでそのほぼ全面が流し台の表面に接触している。つまり、水排出部４の小穴は生ごみから出た水と流し台の表面によってほとんど塞がれた状態になっているため、生ごみから出た臭いが底面から外部に漏れだす量をごく僅かに抑えることができる。
水切り袋１に生ごみを入れて上側開口１ａを閉じた状態にしておくと、数時間あるいは一晩経過した後には、生ごみがほとんど乾燥した状態になっているので、使用者は水切り袋１をそのまま又は三角コーナー１０から取り出して大型のごみ袋に廃棄し、未使用の水切り袋１と交換する。
【００１６】
［第二の実施の形態］
本考案の水切り袋１の第二の実施の形態について説明する。
なお、上記第一の実施の形態と同一の構成となる箇所には同一の符号を付してその説明を省略する。
本実施の形態の水切り袋１は、図４に示すように、本体部２の下縁を水排出部４よりも更に下方に延ばした延長部５を備えることを特徴とする。
延長部５を設けることで水きり袋１の下縁部の構造強度を高めることができるため、水切り袋１をより容易に自立させることができる。
【００１７】
また、延長部５を設けることで流し台の表面と水排出部４との間に空間６が形成される。
上記第一の実施の形態では生ごみが水排出部４を挟んで流し台の表面と接触する構造なので、一旦生ごみから出た水が流し台の排水口まで流れずに、水排出部４と流し台表面との接触面付近に留まる結果、生ごみが乾燥し辛くなる可能性がある。
本実施の形態では上記空間６が存在することにより、水排出部４が流し台の表面に接触しないので、生ごみから出た水を速やかに流し台の排水口まで流すことができ、生ごみの乾燥時間をより短くできる。
【００１８】
［第三の実施の形態］
本考案の水切り袋１の第三の実施の形態について説明する。
なお、上記各実施の形態と同一の構成となる箇所には同一の符号を付してその説明を省略する。
本実施の形態の水切り袋１は、図５に示すように、水排出部４を本体部２の側面の下側にも設けたことを特徴とする。
本体部２の底面だけでなく側面からも生ごみの水分を外部に排出することができるため乾燥時間をより短縮できる。特に生ごみの量が多い場合の使用に適している。
【産業上の利用可能性】
【００１９】
台所の流し台の中に直接置くか、あるいは三角コーナーに入れて使用でき、防臭・防虫効果に優れると共に製造コストを抑えることができる水切り袋に関するものであり、産業上の利用可能性を有する。
【符号の説明】
【００２０】
１    水切り袋
１ａ  上側の開口
１ｂ  下側開口
２    本体部
３    封止部
３ａ  凸型レール
３ｂ  凹型レール
３ｃ  スライダ
４    水排出部
５    延長部
６    空間
１０  三角コーナー
【図１】
0003173108.tif 000003
【図２】
0003173108.tif 000004
【図３】
0003173108.tif 000005
【図４】
0003173108.tif 000006
【図５】
0003173108.tif 000007